【事件の表示】
　特許第３１４１１５５号「クラッカー」の請求項１に係る特許に対する特許異議の申立てについて、次のとおり決定する。
【結　論】
　訂正を認める。
　特許第３１４１１５５号の請求項１に係る特許を維持する。
【理　由】
【１】手続の経緯
　本件特許第３１４１１５５号は、【原出願の表示】の欄に平成６年１０月２６日に出願された特願平６−２６２３５５号を表示し、また【特記事項】の欄に「特許法第４４条第１項の規定による特許出願」と表示して、平成１０年１１月３０日にその願書が提出され、平成１２年１２月２２日に設定登録され、その後、本件特許異議の申立てがなされたものであって、平成１３年１１月９日付け取消理由の通知に対してその指定期間内の平成１４年１月２１日付けで明細書についての訂正請求がなされ、平成１４年２月４日付け訂正拒絶理由の通知に対して意見書が提出されたものである。
【２】訂正の要旨
　上記訂正請求は、特許第３１４１１５５号の明細書を、訂正請求書に添付した訂正明細書のとおりに訂正することを求めるものであるが、その要旨は、次の訂正事項（ａ）〜（ｄ）のとおりのものと認める。
　訂正事項（ａ）
　願書に添付した明細書の特許請求の範囲における請求項１の「可動受圧体（４１）が筒体（１１）の軸線方向に移動可能に配備され」を、「可動受圧体（４１）が
火薬体（３１）の爆発時に
　訂正事項（ｂ）
　願書に添付した明細書の特許請求の範囲における請求項１の「被放出物（５１）が装填されている」を、「被放出物（５１）が装填されている
と共に、爆風で押し出された上記可動受圧体（４１）が筒体（１１）の先端部から飛び出すことを筒体（１１）の先端部付近で阻止する位置規制手段を備えている
　訂正事項（ｃ）
　願書に添付した明細書の段落番号【０００６】【課題を解決するための手段】における「可動受圧体が筒体の軸線方向に移動可能に配備され」を、「可動受圧体が
火薬体の爆発時に
　訂正事項（ｄ）
　願書に添付した明細書の段落番号【０００６】【課題を解決するための手段】における「被放出物が装填されている」を、「被放出物が装填されている
と共に、爆風で押し出された上記可動受圧体が筒体の先端部から飛び出すことを筒体の先端部付近で阻止する位置規制手段を備えている
【３】明細書の訂正についての当審の判断
１．訂正の目的
　上記訂正事項（ａ）、（ｂ）は、請求項の記載事項を限定又は付加するものであるから、特許請求の範囲を減縮するものと認められる。
　上記訂正事項（ｃ）、（ｄ）は、特許請求の範囲の訂正に伴って、特許請求の範囲の記載と発明の詳細な説明の記載とが整合するように発明の詳細な説明を訂正するものであるから、明りょうでない記載の釈明を目的とするものと認められる。
２．新規事項の有無
　(1)訂正事項（ａ）（ｃ）について
　願書に添付した明細書の段落【０００７】には「【作用】上記構成のクラッカーにおいて、引紐を引張って火薬体を爆発させると、その爆発に伴う爆風によって可動受圧体が筒体の中を勢いよく瞬時に先端部側へ移動し、そのような可動受圧体の瞬間的な移動により被放出物が押されて筒体の先端部から勢いよく放出される。その際、筒体は円筒もしくは多角形筒形に形成されているので、可動受圧体が筒体の先端部に移動するまでの間においては、火薬体の爆発に伴う爆風が可動受圧体の筒体の内面との摺動面間の隙間から逃げることが少なくて筒体の内部における引玉受座と可動受圧体との間の空間に閉じ込められ続ける。そのため、被放出物を遠方にまで飛ばすことができる。」と記載され、また、段落【００１３】には「このようなクラッカーＣにおいて、筒体１１の把手部１２を片手で持ち、他方の手で引紐３２を引張って火薬体３１を爆発させると、その爆発に伴う爆風によって図２に矢印Ｘで示したように可動受圧体４１が筒体１１の中を勢いよく瞬時に先端部側へ移動し、そのような可動受圧体４１の瞬間的な移動により被放出物５１が押され、また、複数の突片１４…でなる蓋部１５が瞬時に開いて、被放出物５１が筒体１１の先端部１３から勢いよく空中に放出される。……」と記載されており、訂正事項（ａ）（ｃ）は、上記願書に添付した明細書に記載された事項の範囲内のものと認められる。
　(2)訂正事項（ｂ）（ｄ）について
　願書に添付した明細書の段落【００１１】には「……可動受圧体４１と引玉受座２１とは糸あるいはそれに類似する柔軟で軽い係索４２で連結されている。この係索４２は可動受圧体４１が筒体１１の把手部１２付近の位置（以下、初期位置という）に配備されているときには図１のように弛んで伸び代を持っており、可動受圧体４１が上記初期位置から図２に実線で示したように筒体１１の先端部１３の位置（以下、突出位置という）まで移動したときには、係索４２の弛みが解消して緊張し、それによって可動受圧体４１が筒体１１の先端部１３から飛び出さないように可動受圧体４１を筒体１１の先端部１３付近で阻止する役割を担っている。」と記載され、また、段落【００１３】には「……可動受圧体４１は係索４２が緊張することによって筒体１１の先端部付近の突出位置で停止し、その可動受圧体４１が筒体１１の先端部１４から飛び出すことはない。なお、図２には初期位置の可動受圧体４１を二点鎖線で示してある。」と記載され、段落【００２０】には「上記実施例のクラッカーＣにおいて、係索４２は、爆風で押し出された可動受圧体４１が筒体１１の先端部１３から飛び出すことを筒体１１の先端部付近で阻止する位置規制手段の例示である。位置規制手段としては他にも種々のものを採用することができる。例えば、図５にクラッカーＣの火薬体３１を爆発させた後の状態を示すように、位置規制手段は、筒体１１の内部に筒体１１と同心状に配備した棒状体４６である。詳しくは、棒状体４６の基部４７を引玉受座２１で支持させ、かつ、可動受圧体４１に具備させた中心孔４９に相対摺動自在に挿通した棒状体４６の先端部に鍔体４８を設けてある。このような位置規制手段によると、火薬体３１の爆発に伴う爆風の風圧で初期位置（図５に初期位置の可動受圧体４１を二点鎖線で示してある）の可動受圧体４１が押されると、その可動受圧体４１が棒状体４６と摺動して筒体１１の先端部まで移動し、鍔体４８に当たって停止する。この停止位置が可動受圧体４１の突出位置になる。なお、第２実施例のクラッカーＣにおいては、火薬体３１を引玉受座２１の偏心位置で受け止める構成にしてある。」と記載されており、訂正事項（ｂ）（ｄ）は、上記願書に添付した明細書に記載された事項の範囲内のものと認められる。
３．特許請求の範囲の拡張又は変更の存否
　上記訂正事項（ａ）（ｃ）による訂正後の請求項１に係る発明は、訂正請求書に添付した訂正明細書の段落【００１５】に「上記クラッカーＣにおいて、火薬体３１の火薬量を増やしたり火薬体３１の数を増やしたりして爆発に伴う爆風の風圧を増大させると、それだけ可動受圧体４１が筒体１１内で速く移動して被放出物５１が遠方まで飛ばされる。そして、そのようにして被放出物５１が遠方に届くようにしても、上述したように、火薬体３１の爆発に伴って発生する煙や臭いは筒体１１の内部に閉じ込められたままになり、また、爆発に伴う音も筒体１１の中にこもって消音されて外では静音が聞こえるに過ぎなくなって破裂音は聞こえなくなるので、劇場やホール、家庭などの大きな音を発することが嫌われるような場所や、火薬体の爆発によって発生する煙やその臭いが嫌われるような場所でも、小巻テープや紙片を遠方まで飛ばしてクラッカーＣを楽しむことができる。」と記載されているように、願書に添付した明細書の段落【０００４】及び【０００５】に「【発明が解決しようとする課題】ところで、近時においては、劇場やホールなどでは、小巻テープや紙片を遠方まで飛ばしてクラッカーを楽しみたいという要求がある。」、「本発明は、上記要望に応えるべく小巻テープや紙片などの被放出物を遠くに飛ばして楽しむことのできるクラッカーを提供することを目的とする。」と記載された願書に添付した明細書の請求項１に係る発明の目的の範囲内のものと認められる。
　したがって、上記訂正事項（ａ）（ｃ）（ｂ）（ｄ）は、実質上特許請求の範囲を拡張し又は変更するものではない。
４．まとめ
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
【４】本件特許発明
　上記「【３】」に説示のとおり明細書についての訂正が認められるから、本件特許の請求項１に係る発明は、訂正請求書に添付した訂正明細書の特許請求の範囲の請求項１に記載された次のとおりのものと認める。
　「円筒もしくは多角形筒形の筒体（１１）の内部に引玉受座（２１）が設けられ、この引玉受座（２１）と筒体（１１）の先端部との間の筒体（１１）内部に、前記筒体（１１）の内周形状に合わせた断面形状を有し軸線方向に延びる外周面とこの外周面の軸線方向両端に形成される両端面とを有する形に形成された可動受圧体（４１）が火薬体（３１）の爆発時に筒体（１１）の軸線方向に移動可能に配備され、該可動受圧体（４１）と前記引玉受座（２１）との間の筒体（１１）内部の空間に、引紐（３２）の引張り操作で爆発しかつ爆発時の爆風で上記可動受圧体（４１）を筒体（１１）の先端部側に押し出す火薬体（３１）が配備され、筒体（１１）内部における上記可動受圧体（４１）と筒体（１１）の先端部との間の空間に、爆風で押し出された上記可動受圧体（４１）に押されて筒体（１１）の先端部から放出される被放出物（５１）が装填されていると共に、爆風で押し出された上記可動受圧体（４１）が筒体（１１）の先端部から飛び出すことを筒体（１１）の先端部付近で阻止する位置規制手段を備えていることを特徴とするクラッカー。」
【５】特許異議申立ての理由の概要及び提出された証拠
　特許異議申立人は、以下の申立理由１〜３を主張し、証拠として甲第１〜４号証を提出している。
１．申立理由１
　(1)請求項１に記載された事項「可動受圧体（４１）が筒体（１１）の軸線方向に移動可能に配備され」が、火薬体（３１）の爆発前の通常状態においても移動できることを意味するならば、本件特許の請求項１に係る発明は、甲第１〜３号証に記載された発明に基づいて当業者が容易に発明をすることができたものであるから、特許法第２９条第２項の規定により特許を受けることができないものである。
　(2)請求項１に記載された事項「可動受圧体（４１）が筒体（１１）の軸線方向に移動可能に配備され」が、火薬体（３１）の爆発によって移動することを意味するならば、本件特許の請求項１に係る発明は、甲第１号証に記載された発明であるから、特許法第２９条第１項第３号に規定する発明に該当し、特許を受けることができないものである。
２．申立理由２
　(1)請求項１の「筒体（１１）の内周形状に合わせた断面形状を有し軸線方向に延びる外周面とこの外周面の軸線方向両端に形成される両端面とを有する形に形成された可動受圧体（４１）」との記載中の「軸線方向に延びる」が、どの程度のものか不明確であるから、明細書の記載は、特許法第３６条第４項乃至第６項に規定する要件を満たしていない。
　(2)明細書の「延びる」なる語が不明確であるから、形式上、本件特許の請求項１に係る発明は、甲第２号証に記載された発明であるから特許法第２９条第１項第３号に規定する発明に該当し、又は、甲第２号証に記載された発明に基づいて当業者が容易に発明をすることができたものであるから特許法第２９条第２項の規定により特許を受けることができないものである。
３．申立理由３
　平成１２年８月２８日付け手続補正書によって明細書の【特許請求の範囲】及び段落【０００６】において、可動受圧体が「筒体の内周形状に合わせた断面形状を有し軸線方向に延びる外周面とこの外周面の軸線方向両端に形成される両端面とを有する形に形成された」ものとの構成を追加した補正は、新規事項を追加するものであり、特許法第１７条第２項に規定する要件を満たしていない。
４．証拠
　甲第１号証……実公昭４９−４５１９５号公報
　甲第２号証……実願平２−９７３０４号（実開平４−５７０９７号）のマ　　　　　　　　イクロフィルム
　甲第３号証……実願平３−４７５７９号（実開平５−８２９４号）のＣＤ　　　　　　　　−ＲＯＭ
　甲第４号証……特願平１０−３３８９１４号の願書、願書に最初に添付し　　　　　　　　た明細書及び図面
【６】特許異議申立についての当審の判断
１．甲第１〜３号証に記載された事項
　(1)甲第１号証
　甲第１号証には、コメットに関して、
　ア）「円筒１内に、先端近傍１′に爆薬２を固着せる芯糸３を内装定置する密閉状内筒４を内装し、円筒先端部１″に色テープ５或は紙吹雪５′を密封すると共に、」（第１頁左欄３３乃至３６行参照）
　イ）「尚、芯糸３の先端近傍には芯糸３が抜けてしまわない様に瘤３′を設けておくと理想的である。」（第１頁右欄４乃至５行参照）
　ウ）「まず、コメットとして使用する場合は、蝋体中より延出した芯糸３を引っ張る事により、従来のコメットの如く爆薬２の作用で爆発音を発すると共に、色テープ或は紙吹雪が散りパーティ等の雰囲気を盛り上げる事になる。
　尚、芯糸３には瘤３′が設けてあると芯糸を引っ張り過ぎても芯糸が蝋体より抜けてしまう事はない。」（第１頁右欄８乃至１５行参照）
と記載されている。
　また、甲第１号証第１図には、
　エ）円筒内部領域を色テープ５等が密封される先端部側と蝋体が充填される基部開□部１′″側とに区画する引玉受座が、円筒１の内部に円筒１と一体的に形成されている点、
　オ）該引玉受座と円筒先端部１″との間の円筒１の内部に前端が閉じ後端が開□した密閉状内筒４が設けられ、該密閉状内筒４は、円筒１の内周形状に合わせた断面形状を有し軸線方向に延びる外周面とこの外周面の軸線方向一端に形成される端面とを有する形に形成されている点、
　カ）引玉受座と密閉状内筒４との間に爆薬２が設けられている点
が、それぞれ記載されている。
　なお、甲第１号証の第１図において、筒の内周面がラインシェーディング（軸線に平行な線で面を表現したもの）により表現されているものと認められるところ、円筒１の内周面を表現するラインシエーディングと、密閉状内筒４の内周面を表現するラインシェーディングとが異なる態様で記載されていることからも、第１図には、筒状の密閉状内筒４が記載されているものと認められる。
　また、爆薬２の爆発で色テープ５を飛ばすコメット（クラッカー）である以上、爆薬２が爆発するとそれによって密閉状内筒４が内筒先端部１″へと押し出され、該密閉状内筒４に色テープ５が押されて内筒１から放出されることは、甲第１号証に記載の構成から自明な事項と認められる。
　したがって、甲第１号証には、次の発明が記載されているものと認められる。
　“円筒１の内部に引玉受座が設けられ、この引玉受座と円筒１の先端部との間の円筒１内部に、前記円筒１の内周形状に合わせた断面形状を有し軸線方向に延びる外周面とこの外周面の軸線方向一端に形成される端面とを有する形に形成された密閉状内筒４が爆薬２の爆発時に円筒１の軸線方向に移動可能に配備され、該密閉状内筒４と前記引玉受座との間の円筒１内部の空間に、芯糸３の引張り操作で爆発しかつ爆発時の爆風で上記密閉状内筒４を円筒１の先端部側に押し出す爆薬２が配備され、円筒１内部における上記密閉状内筒４と円筒１の先端部との間の空間に、爆風で押し出された上記密閉状内筒４に押されて円筒１の先端部から放出される色テープ５等が装填されていると共に、前記芯糸３を前記密閉状内筒４に内装定置したコメット。”
　(2)甲第２号証
　　甲第２号証には、クラッカーに関して、
　キ）「…（１）は本体筒体であって、…この筒体の内部の上部付近に発射用テープ（２）が複数個、筒体内部側面に遊嵌的に内接した圧力板（３）の上に載置されている。更に圧力板（３）の下部には間座（５）があって筒体の外部より延長された作動紐（６）が、その末端に於いて間座（５）を貫通し、その末端部分には発射用火薬（４）が塗着されている。本体筒体（１）の上部には発射口（７）があって…、本考案の景品付きクラッカーにあっては、…円筒形状の筒体を多用する。」（第１０頁８行乃至第１１頁３行参照）
　ク）「…景品付きクラッカーに使用する円筒形の筒体」（第１１頁１７乃至１８行参照）
　ケ）「…作動紐を勢いよく引くことによって筒内に内装されていた発射用火薬が爆発し、筒本体上部の発射口を封着していた紙又は合成樹脂製等で作られた上蓋は、その火薬の爆発力によって開封され、筒内に内装されていたテープ等の詰め物もこの爆発力によって勢いよく空中に噴出し飛散するのであるが、」（第９頁１１乃至１８行参照）
　コ）「…クラッカーの本体筒体（１）を握り、…、もう一方の手で本体筒体（１）の下部から出ている作動紐（６）を掴み強く前に引く。作動紐（６）を引くと同時に筒部上部の発射口（７）から発射用火薬（４）の爆発音や閃光とともに発射用テープが噴出して空中に飛散する。」（第１２頁１３乃至１９行参照）
と記載されている。
　更に、第１図、第３図乃至第５図には、　
　サ）圧力板（３）の外周面が軸線方向を向いている点
が示されているものと認められる。
　したがって、甲第２号証には、次の発明が記載されているものと認められる。
　“円筒形状の本体筒体（１）の内部に間座（５）が設けられ、この間座（５）と本体筒体（１）の先端部との間の本体筒体（１）内部に、前記本体筒体（１）の内周形状に合わせた断面形状を有し軸線方向に延びる外周面とこの外周面の軸線方向両端に形成される両端面とを有する形に形成された圧力板（３）が発射用火薬（４）の爆発時に本体筒体（１）の軸線方向に移動可能に配備され、該圧力板（３）と前記間座（５）との間の本体筒体（１）内部の空間に、作動紐（６）の引張り操作で爆発しかつ爆発時の爆風で上記圧力板（３）を本体筒体（１）の先端部側に押し出す発射用火薬（４）が配備され、本体筒体（１）内部における上記圧力板（３）と本体筒体（１）の先端部との間の空間に、爆風で押し出された上記圧力板（３）に押されて本体筒体（１）の先端部から放出される発射用テープ（２）が装填されているクラッカー。”
　(3)甲第３号証
　甲第３号証には、クラッカーに関して、
　シ）「【０００９】
【実施例】以下、本考案の実施例を図面に基づいて説明する。図１は外観を示す斜視図、図２は内部構造を示す拡大縦断面図であり、これらの図において、１は合成樹脂またはボール紙のような厚紙によって成形された円筒状のクラッカー筒体で、このクラッカー筒体１は、外筒１Ａと、この外筒１Ａの先端部に嵌合固定された内筒１Ｂとの二重構造になっており、外筒１Ａの後側に補強筒２を介して起爆筒体３が同心かつ相対回転可能に配置されている。すなわち、外筒１Ａの先端部を除く部分に合成樹脂またはボール紙のような厚紙によって成形された補強筒２が嵌合固定され、この補強筒２における外筒１Ａより後方に延出している部分に合成樹脂またはボール紙のような厚紙によって成形された起爆筒体３が回転可能に外嵌されている。内筒１Ｂは、前端開口部側に形成した内径の略一様な径大部１１Ａと、この径大部１１Ａの後部に連続形成されて後端側に向かって漸次縮径する円錐筒形の径小保持部１１Ｂとを有し、径大部１１Ａと径小部１１Ｂとの境界部に受圧板４が配置され、前端開口部には、発泡スチロールなどで形成された爆発離脱蓋５が爆発離脱可能に嵌合固定されており、爆発離脱蓋５と受圧板４との間の筒体前室６に小巻テープなどの噴出物７が収納されている。
【００１０】
８は紙巻形の火薬体で筒体後室９に配置されており、その爆薬外装部を内筒１Ｂの径小保持部１１Ｂに嵌合することで回転不能に保持されている。火薬体８の爆薬部には、適当な捩じれ特性を備えた紐状起爆部材１０の先端部１０Ａが相対回転可能に結合され、火薬体８から後方に延出する延出部１０Ｂの後端部１０ｂが外向きに折り曲げられて、起爆筒体３の後端部外面に固定されている。図中、１１は外装紙で、外筒１Ａ、内筒１Ｂの露出部および起爆筒体３の表面を被覆しており、外筒１Ａの後端面と起爆筒体３の先端面との突合わせ部に対応するミシン目１１ａが円周方向に形成されている。」
と記載され、
　また、第２図には、
　ス）受圧板４が、円筒状の径大部１１Ａの内周面との間に隙間を形成するように配備されている点
が記載されている。
　したがって、甲第３号証には次の発明が記載されているものと認められる。
　“外筒１Ａとこの外筒１Ａの先端部に嵌合固定された内筒１Ｂとの二重構造になった円筒状のクラッカー筒体１の内部に円錐筒形の径小保持部ｌ１Ｂが設けられ、この径小保持部ｌ１Ｂと内筒１Ｂの先端部との間の内筒１Ｂ内部に、前記内筒１Ｂの内周形状に合わせた断面形状を有し軸線方向に延びる外周面とこの外周面の軸線方向両端に形成される両端面とを有する形に形成された受圧板４が火薬体８の爆発時に内筒１Ｂの軸線方向に移動可能に配備され、該受圧板４と前記径小保持部ｌ１Ｂとの間の内筒１Ｂ内部の空間に、爆発時の爆風で上記受圧板４を内筒１Ｂの先端部側に押し出す火薬体８が配備され、内筒１Ｂ内部における上記受圧板４と内筒１Ｂの先端部との間の空間に、爆風で押し出された上記受圧板４に押されて内筒１Ｂの先端部から放出される噴出物７が装填されているクラッカー。”
２．申立理由について
　(1)上記訂正請求により、願書に添付した明細書の請求項１の「可動受圧体（４１）が筒体（１１）の軸線方向に移動可能に配備され」との記載は、「可動受圧体（４１）が火薬体（３１）の爆発時に筒体（１１）の軸線方向に移動可能に配備され」と訂正された。
　(2)請求項１の「筒体（１１）の内周形状に合わせた断面形状を有し軸線方向に延びる外周面とこの外周面の軸線方向両端に形成される両端面とを有する形に形成された可動受圧体（４１）」との記載中の「軸線方向に延びる」について、発明の詳細な説明において、「延びる」程度、即ち「長さ」に関する記載はなく、前記「軸線方向に延びる」との記載は、単に、外周面の向きが軸線と平行であることを定義したに過ぎないものと認められるので、「どの程度のものか不明確であるから、明細書の記載は、特許法第３６条第４項乃至第６項に規定する要件を満たしていない。」とすることはできない。
　(3)願書に最初に添付した明細書の段落【００１９】には、可動受圧体に関して、「可動受圧体４１には……、コルクなどの木片、……発泡プラスチックといった軽量な素材で作ったものを好適に用いることができ、」との記載があると共に、願書に最初に添付した図面の図５には、可動受圧体４１が中実体から構成されることが示されているものと認められる。
　したがって、請求項１及び段落【０００６】において、可動受圧体を、「前記筒体の内周形状に合わせた断面形状を有し軸線方向に延びる外周面とこの外周面の軸線方向両端に形成される両端面とを有する形に形成された」とする補正は、願書に最初に添付した明細書又は図面に記載された事項の範囲内のものと認められるので、この補正が、「新規事項を追加するものであり、特許法第１７条第２項に規定する要件を満たしていない。」とすることはできない。
　(4)本件請求項１に係る発明と特許異議申立人が提出した甲第１号証に記載された発明とを対比すると、甲第１号証に記載された発明における「密閉状内筒４」、「芯糸３」は、それぞれ、機能上本件請求項１に係る発明の「可動受圧体」、「引紐」に相当するものと認められ、甲第１号証に記載された発明は、「可動受圧体」と「引紐」とを繋いだ構成を備えるものと認められるが、同号証には、「可動受圧体」の移動限界位置、「引紐」の長さ、消音又は煙や臭いの閉じ込めに関する記載は一切ない一方で、「芯糸３には瘤３′が設けてあると芯糸を引っ張り過ぎても芯糸が蝋体より抜けてしまう事はない。」と記載されていることから、「可動受圧体」と「引紐」とを繋いだ構成は、「爆風で押し出された上記可動受圧体が筒体の先端部から飛び出すことを筒体の先端部付近で阻止する」ものではないものと認められる。
　したがって、甲第１号証に記載された発明は、本件特許の請求項１に係る発明の構成に欠くことができない事項である「爆風で押し出された上記可動受圧体（４１）が筒体（１１）の先端部から飛び出すことを筒体（１１）の先端部付近で阻止する位置規制手段を備えている」点を備えていない。
　また、特許異議申立人が提出した甲第２号証、甲第３号証に記載された発明も、本件特許の請求項１に係る発明の構成に欠くことができない事項である「爆風で押し出された上記可動受圧体（４１）が筒体（１１）の先端部から飛び出すことを筒体（１１）の先端部付近で阻止する位置規制手段を備えている」点を備えていない。
　そして、クラッカーにおいて「爆風で押し出された上記可動受圧体が筒体の先端部から飛び出すことを筒体の先端部付近で阻止する位置規制手段を備えている」構成が本件特許の出願前に周知の事項であったものとも認められない。
　よって、本件請求項１に係る発明を、特許異議申立人が引用した甲第１号証又は甲第２号証に記載された発明とすることはできないばかりでなく、甲第１〜３号証にそれぞれ記載された発明を総合しても、これらに基づいて容易に発明することができたものとすることはできない。
【７】むすび
　以上のとおりであるから、本件請求項１に係る特許は、特許異議申立人が主張する理由及び提出した証拠によっては、取り消すことはできない。　
　また、他に本件請求項１に係る特許を取り消すべき理由を発見しない。
　よって、結論のとおり決定する。
【異議決定日】
平成１４年５月２４日（２００２．５．２４）
【訂正の要旨】
１．訂正事項（ａ）
　願書に添付した明細書の特許請求の範囲における請求項１の「可動受圧体（４１）が筒体（１１）の軸線方向に移動可能に配備され」を、特許請求の範囲の減縮を目的として、
「可動受圧体（４１）が火薬体（３１）の爆発時に筒体（１１）の軸線方向に移動可能に配備され」と訂正する。
２．訂正事項（ｂ）
　願書に添付した明細書の特許請求の範囲における請求項１の「被放出物（５１）が装填されている」を、特許請求の範囲の減縮を目的として、「被放出物（５１）が装填されていると共に、爆風で押し出された上記可動受圧体（４１）が筒体（１１）の先端部から飛び出すことを筒体（１１）の先端部付近で阻止する位置規制手段を備えている」と訂正する。
３．訂正事項（ｃ）
　願書に添付した明細書の段落番号【０００６】【課題を解決するための手段】における「可動受圧体（４１）が筒体（１１）の軸線方向に移動可能に配備され」を、明りょうでない記載の釈明を目的として、「可動受圧体（４１）が火薬体（３１）の爆発時に筒体（１１）の軸線方向に移動可能に配備され」と訂正する。
４．訂正事項（ｄ）
　願書に添付した明細書の段落番号【０００６】【課題を解決するための手段】における「被放出物（５１）が装填されている」を、明りょうでない記載の釈明を目的として、「被放出物（５１）が装填されていると共に、爆風で押し出された上記可動受圧体（４１）が筒体（１１）の先端部から飛び出すことを筒体（１１）の先端部付近で阻止する位置規制手段を備えている」と訂正する。
（５４）【発明の名称】
クラッカー
（５７）【特許請求の範囲】
　【請求項１】　円筒もしくは多角形筒形の筒体（１１）の内部に引玉受座（２１）が設けられ、この引玉受座（２１）と筒体（１１）の先端部との間の筒体（１１）内部に、前記筒体（１１）の内周形状に合わせた断面形状を有し軸線方向に延びる外周面とこの外周面の軸線方向両端に形成される両端面とを有する形に形成された可動受圧体（４１）が
火薬体（３１）の爆発時に
と共に、爆風で押し出された上記可動受圧体（４１）が筒体（１１）の先端部から飛び出すことを筒体（１１）の先端部付近で阻止する位置規制手段を備えている
【発明の詳細な説明】
　【０００１】
　【発明の属する技術分野】
　本発明は、引紐を引張ることによって火薬体が爆発し、そのときの爆風の影響で紙片やテープといった被放出物が空中に放出されるクラッカーに関する。
　【０００２】
　【従来の技術】
　この種の従来のクラッカーがたとえば実開昭５９−１７４８９８号公報に記載されている。このクラッカーは、図７のように、先拡がり円錐状の筒体１の内部に仕切り２と受圧板３とを設け、仕切り２と受圧板３との間の空間に、引紐４の引張り操作で爆発する火薬体５を配備し、受圧板３と蓋６との間の空間、すなわち受圧板３と筒体１の先端部との間の空間に小巻テープや紙片といった被放出物７を装填した構成になっている。
　【０００３】
　このクラッカーは、筒体１を一方の手で持って筒体１の先端を空中に向け、他方の手で引紐４を引張って火薬体５を爆発させると、そのときの爆風で大きな破裂音が発生し、同時に受圧板３と被放出物７と蓋６とが吹き飛ばされて被放出物７が筒体１から空中に放出される。
　【０００４】
　【発明が解決しようとする課題】
　ところで、近時においては、劇場やホールなどでは、小巻テープや紙片を遠方まで飛ばしてクラッカーを楽しみたいという要求がある。
　【０００５】
　本発明は、上記要望に応えるべく小巻テープや紙片などの被放出物を遠くに飛ばして楽しむことのできるクラッカーを提供することを目的とする。
　【０００６】
　【課題を解決するための手段】
　本発明のクラッカーは、円筒もしくは多角形筒形の筒体の内部に引玉受座が設けられ、この引玉受座と筒体の先端部との間の筒体内部に、前記筒体の内周形状に合わせた断面形状を有し軸線方向に延びる外周面とこの外周面の軸線方向両端に形成される両端面とを有する形に形成された可動受圧体が
火薬体の爆発時に
と共に、爆風で押し出された上記可動受圧体が筒体の先端部から飛び出すことを筒体の先端部付近で阻止する位置規制手段を備えている
　【０００７】
　【作用】
　上記構成のクラッカーにおいて、引紐を引張って火薬体を爆発させると、その爆発に伴う爆風によって可動受圧体が筒体の中を勢いよく瞬時に先端部側へ移動し、そのような可動受圧体の瞬間的な移動により被放出物が押されて筒体の先端部から勢いよく放出される。その際、筒体は円筒もしくは多角形筒形に形成されているので、可動受圧体が筒体の先端部に移動するまでの間においては、火薬体の爆発に伴う爆風が可動受圧体の筒体の内面との摺動面間の隙間から逃げることが少なくて筒体の内部における引玉受座と可動受圧体との間の空間に閉じ込められ続ける。そのため、被放出物を遠方にまで飛ばすことができる。
　【０００８】
　【発明の実施の形態】
　図１は本発明に係るクラッカーＣの概略断面図、図２は図１のクラッカーＣの火薬体３１を爆発させた後の状態を示す概略断面図、図３は図１のＩＩＩ−ＩＩＩ線に沿う拡大断面図である。
　【０００９】
　図１において、１１は厚紙やプラスチックなどで作られる筒体であり、この筒体１１は基部が把手部１２となされ、先端部１３に複数の花びら状の突片１４が一体に連設されていく。そして、筒体１１の先端部１３は、複数の上記突片１４…を内方に折り曲げてそれらの先端同士を相互に互いに噛み合わせることより形成された蓋部１５により塞がれている。
　【００１０】
　筒体１１の内部には、把手部１２に対応する個所に引玉受座２１が設けられ、この引玉受座２１によって筒体１１の内部が先端部側空間と基部側空間とに仕切られている。この引玉受座２１は、筒体１１に嵌め合わされて固定されている尾栓２２により容易に動かないように保持されていると共に、その中央の孔部２３に火薬体３１に連設された引紐３２が通されている。
　【００１１】
　筒体１１の先端部と引玉受座２１との間の筒体１１内部には可動受圧体４１が筒体１１の軸線方向に移動可能に配備されている。そして、引玉受座２１と可動受圧体４１との間の筒体内部の空間に、上記引紐３２の先端部に装備された上記火薬体３１が配備されている。この実施例では火薬体３１が引玉受座２１に受け止められた状態になっており、引紐３２が引っ張られると爆発する。可動受圧体４１と引玉受座２１とは糸あるいはそれに類似する柔軟で軽い係索４２で連結されている。この係索４２は可動受圧体４１が筒体１１の把手部１２付近の位置（以下、初期位置という）に配備されているときには図１のように弛んで伸び代を持っており、可動受圧体４１が上記初期位置から図２に実線で示したように筒体１１の先端部１３の位置（以下、突出位置という）まで移動したときには、係索４２の弛みが解消して緊張し、それによって可動受圧体４１が筒体１１の先端部１３から飛び出さないように可動受圧体４１を筒体１１の先端部１３付近で阻止する役割を担っている。
　【００１２】
　図１において、初期位置の可動受圧体４１と筒体１１の先端部１３との間の空間に被放出物５１が装填されている。被放出物５１には、薄い紙テープやプラスチックフィルムのテープなどを巻いた所謂小巻テープ５２、様々に着色された紙片５３、その他の空中に飛ばしたい小片などが用いられる。
　【００１３】
　このようなクラッカーＣにおいて、筒体１１の把手部１２を片手で持ち、他方の手で引紐３２を引張って火薬体３１を爆発させると、その爆発に伴う爆風によって図２に矢印Ｘで示したように可動受圧体４１が筒体１１の中を勢いよく瞬時に先端部側へ移動し、そのような可動受圧体４１の瞬間的な移動により被放出物５１が押され、また、複数の突片１４…でなる蓋部１５が瞬時に開いて、被放出物５１が筒体１１の先端部１３から勢いよく空中に放出される。可動受圧体４１は係索４２が緊張することによって筒体１１の先端部付近の突出位置で停止し、その可動受圧体４１が筒体１１の先端部１４から飛び出すことはない。なお、図２には初期位置の可動受圧体４１を二点鎖線で示してある。
　【００１４】
　このように、被放出物５１を押し出して空中に飛ばした可動受圧体４１が筒体１１の先端部付近の突出位置で停止することにより、火薬体３１の爆発に伴って発生した煙や臭いは筒体１１の内部の引玉受座２１と可動受圧体４１との間の空間に閉じ込められたままになり、また、爆発に伴う音も筒体１１の中にこもって消音されるので、破裂音が聞こえず静音が聞こえるに過ぎなくなる。
　【００１５】
　上記クラッカーＣにおいて、火薬体３１の火薬量を増やしたり火薬体３１の数を増やしたりして爆発に伴う爆風の風圧を増大させると、それだけ可動受圧体４１が筒体１１内で速く移動して被放出物５１が遠方まで飛ばされる。そして、そのようにして被放出物５１が遠方に届くようにしても、上述したように、火薬体３１の爆発に伴って発生する煙や臭いは筒体１１の内部に閉じ込められたままになり、また、爆発に伴う音も筒体１１の中にこもって消音されて外では静音が聞こえるに過ぎなくなって破裂音は聞こえなくなるので、劇場やホール、家庭などの大きな音を発することが嫌われるような場所や、火薬体の爆発によって発生する煙やその臭いが嫌われるような場所でも、小巻テープや紙片を遠方まで飛ばしてクラッカーＣを楽しむことができる。
　【００１６】
　上記クラッカーＣにおいて、筒体１１の軸線に直交する仮想直線Ｌにおける上記筒体１１の内面１１ａの相反する側の２つの位置との交差点ａ，ｂの相互間の長さをＤ１、上記仮想直線における上記可動受圧体の外面の相反する側の２つの位置との交差点ａ’，ｂ’の相互間の長さをＤ２としたときのＤ１−Ｄ２の寸法値Ａを、
　Ａ＝（４×Ｄ２／１０００）〜（４×Ｄ２／５０）ｍｍ　……（１）
にしておくことが望まれる（図３および図４参照）。
　上記Ｄ１とＤ２との長さの関係がこのようになっていると、火薬体３１が爆発したときに可動受圧体４１が筒体１１の内面とあまり擦れ合わずに動くようになり、そのために、被放出物５１が遠くに飛びやすくなった。これは、爆風によって可動受圧体４１が筒体１１の中を先端部側へ移動するときに、筒体１１と可動受圧体４１との隙間に薄い空気層が発生し、その空気層が筒体と可動受圧体との擦れ合いを抑制するからであろうと推察される。この場合において、Ａが（４×Ｄ２／１０００）ｍｍよりも小さいと、上記の空気層が形成されにくくなって筒体１１と可動受圧体４１とが擦れ合いやすくなり、その逆に、上記寸法差が（４×Ｄ２／５０）ｍｍよりも大きいと、隙間が広くなりすぎ、火薬体３１の爆発によって発生する爆風が筒体１１と可動受圧体４１との隙間から逃げやすくなり、いずれの場合も被放出物５１を遠方まで飛ばす上で好ましくないことが判っている。
　【００１７】
　ここで、筒体１１が円筒である場合、図３に示すように、上記Ｄ１は筒体１１の内径寸法に相当し、Ｄ２は可動受圧体４１の円筒状の外周面の直径寸法に相当する。そして、たとえば可動受圧体４１の外周面の直径寸法（Ｄ２）が２５ｍｍである場合には、上記（１）式により、
　Ａ＝０．１〜２ｍｍ
となり、Ａが０．１ｍｍよりも小さいと、上記の空気層が形成されにくくなって筒体１１と可動受圧体４１とが擦れ合いやすくなり、その逆に、上記寸法差が２ｍｍよりも大きいと、隙間が広くなりすぎ、火薬体３１の爆発によって発生する爆風が筒体１１と可動受圧体４１との隙間から逃げやすくなり、いずれの場合も被放出物５１を遠方まで飛ばす上で好ましくない。そして、特に、Ａ＝０．２〜０．５ｍｍであると、筒体１１から煙や臭いがほとんど出ず、音を小さくなる割に、被放出物５１を遠方に飛ばすことができた。
　【００１８】
　ここで、筒体１１が正六角形である場合、図４に示すように、上記Ｄ１は筒体１１における相反する側で平行に対向する一対の内面１１ａ，１１ａの相互間隔に相当し、上記Ｄ２は正六角形の可動受圧体４１における相反する側で平行に対向する一対の外面４１ａ，４１ａの相互間隔に相当する。筒体や可動受圧体が偶数個の出隅コーナ部を有する他の多角形に形成されている場合にも同様であり、筒体や可動受圧体が奇数個の出隅コーナ部を有する他の多角形についてはこれに準じる。
　【００１９】
　可動受圧体４１には中空の紙筒、コルクなどの木片、中空のプラスチック筒、発泡プラスチックといった軽量な素材で作ったものを好適に用いることができ、また、可動受圧体４１と係索４２との連結あるいは引玉受座２１と係索４２との連結には種々の方法を採用できる。すなわち、実施例のように係索４２を可動受圧体４１や引玉受座２１に通してその端部に作った結び目４３，４４で抜け防止しておく方法のほか、係索４２の端部を可動受圧体４１や引玉受座２１に接着剤で貼り付けたりそれらに結んでおくといった方法を採用することができる。また、筒体１１の形状は実施例のように円筒であることが望ましいが、場合によっては三角形、六角形、その他の多角形の筒形にすることも可能であり、可動受圧体４１の形状は筒体１１の形状に合わせておくことが望ましく、そうしておくことにより、火薬体３１の爆発に伴って発生する爆風の風圧が可動受圧体４１に加わりやすくなる。さらに、蓋部１５を図７で説明した蓋体６のようなキャップ型のものに置き換えることも可能である。
　【００２０】
　上記実施例のクラッカーＣにおいて、係索４２は、爆風で押し出された可動受圧体４１が筒体１１の先端部１３から飛び出すことを筒体１１の先端部付近で阻止する位置規制手段の例示である。位置規制手段としては他にも種々のものを採用することができる。例えば、図５にクラッカーＣの火薬体３１を爆発させた後の状態を示すように、位置規制手段は、筒体１１の内部に筒体１１と同心状に配備した棒状体４６である。詳しくは、棒状体４６の基部４７を引玉受座２１で支持させ、かつ、可動受圧体４１に具備させた中心孔４９に相対摺動自在に挿通した棒状体４６の先端部に鍔体４８を設けてある。このような位置規制手段によると、火薬体３１の爆発に伴う爆風の風圧で初期位置（図５に初期位置の可動受圧体４１を二点鎖線で示してある）の可動受圧体４１が押されると、その可動受圧体４１が棒状体４６と摺動して筒体１１の先端部まで移動し、鍔体４８に当たって停止する。この停止位置が可動受圧体４１の突出位置になる。なお、第２実施例のクラッカーＣにおいては、火薬体３１を引玉受座２１の偏心位置で受け止める構成にしてある。
　【００２１】
　図６は他の実施例を示している。この実施例は、上記した実施例と同じ構成のクラッカーＣを、円錐形のカバー９に収容したものである。９１はカバー９の開口部を塞いでいる蓋を示しており、この蓋９１は上記した蓋部１５と同じ構成にすることが可能である。このものによると、カバー９によっても音が遮られれて消音効果が増大するという利点がある。その他の作用については図１〜図４で説明した実施例のものと同様である。
　【００２２】
　本発明の係るクラッカーの他の好適な実施態様を次に列挙する。
（１）筒体の長さを可動受圧体の直径（可動受圧体が多角形の場合には上記したＤ２に相当する長さ）の２倍以下にする。このようにすると、筒体が短くなって全体が小型化される。
（２）火薬体を増量する代わりに、火薬体の数を増加する。このようにすると、火薬体を増量した場合と同様に、被放出物を遠方にまで飛ばすことができる。
（３）筒体をそれを巻き込んだ筒状の紙あるいはラベルで包み込み、その筒状の紙あるいはラベルの先端部を順次内側に折り込んでその折込み部分を蓋部（図１などに符号１５で示した部分に相当する）として用いる。この場合、筒状の紙あるいはラベルの基端部（把手部側）は円形あるいは多角形の厚紙を入れて補強しておくことが望ましい。
　【００２３】
　【発明の効果】
　本発明によれば、小巻テープや紙片などの被放出物を遠くに飛ばしてクラッカーＣを楽しむことができるという効果がある。
【図面の簡単な説明】
　【図１】
　本発明に係るクラッカーの概略断面図である。
　【図２】
　図１のクラッカーの火薬体を爆発させた後の状態を示す概略断面図である。
　【図３】
　図１のＩＩＩ−ＩＩＩ線に沿う拡大断面図である。
　【図４】
　筒体や可動受圧体が多角形である場合の図３に相応する説明図である。
　【図５】
　他の実施例によるクラッカーの火薬体を爆発させた後の状態を示す概略断面図である。
　【図６】
　更に他の実施例の一部縦断面図である。
　【図７】
　従来例のクラッカーの概略断面図である。
　【符号の説明】
　Ｃ　クラッカー
　１１　筒体
　２１　引玉受座
　３１　火薬体
　３２　引紐
　４１　可動受圧体
　５１　被放出物